(57)【要約】【課題】埋設土や配管用管材内の流体の重みが管材支持部と配管用管枕本体の下面との間の補強リブに集中的に作用しても補強リブの挫屈を防止することができる配管用管枕を提供する。【解決手段】矩形枠状に形成された配管用管枕本体１１の上下の長辺間に、配管用管材Ｍの敷設方向と直交する左右方向に三角形を交互に正逆転させて連続させるように上下の長辺間を連結する複数の補強リブ１５，…を設ける。そして、各補強リブを、交互に正逆転している三角形を互いに重ね合わせるように上下方向略中間位置でそれぞれ交差させる。更に、管材支持部１２とこれに対向する配管用管枕本体の対向面との間に位置する補強リブを、管材支持部と配管用管枕本体の対向面との間において略正三角形を交互に正逆転させて連続させるように配管用管枕本体の対向面に対しそれぞれ左右方向に略６０゜および略１２０゜ずつ傾斜させて連結している。【選択図】図１
2005163875.tif 000002
【特許請求の範囲】
【請求項１】
矩形枠状に形成された配管用管枕本体の上面または下面には、配管用管材の略半周部分を支持する略半円弧状の管材支持部が凹設されており、
上記配管用管枕本体の上面および下面の間には、この上下両面間において配管用管材の敷設方向と直交する方向に三角形を交互に正逆転させて連続させるように連結する複数の補強リブが設けられていることを特徴とする配管用管枕材。
【請求項２】
上記請求項１に記載の配管用管枕において、
複数の補強リブは、配管用管枕本体の上面および下面の間で交互に正逆転する三角形を互いに重ね合わせるようにそれぞれ交差していることを特徴とする配管用管枕。
【請求項３】
上記請求項１または請求項２に記載の配管用管枕において、
配管用管枕本体の上面および下面の間のうちの少なくとも管材支持部とこれに対向する配管用管枕本体の対向面との間に位置する補強リブは、配管用管材の敷設方向と直交する方向に略正三角形を交互に正逆転させて連続させるように連結されていることを特徴とする配管用管枕。
【発明の詳細な説明】
【技術分野】
【０００１】
本発明は、配管用管材を支持する配管用管枕に関する。
【背景技術】
【０００２】
従来、配管用管材を支持する配管用管枕としては、上下で対をなして用いられ、図５に示すように、配管用管枕ａが下側で用いられる場合には、矩形枠状に形成された配管用管枕本体ａ１の上面（上側で用いられる場合は下面）に、配管用管材ｍの略半周部分を支持する断面略半円弧状の管材支持部ａ２が凹設されており、この管材支持部ａ２と、これに対向する配管用管枕本体の下面との間を、配管用管材ｍの敷設方向に延びる略鉛直な複数のリブａ３，…によって連結するようにしている（例えば、特許文献１参照）。この場合、配管用管枕ａは、高密度ポリエチレンやポリプロピレンなどのペレットを溶融し、射出成形により製造されている。
【特許文献１】特開２００１−２８０５４５号公報
【発明の開示】
【発明が解決しようとする課題】
【０００３】
ところが、上記従来の配管用管枕ａは、高密度ポリエチレンやポリプロピレンなどを原料とする合成樹脂製のものであるため、配管用管材ｍと共に地中に埋設した際に、埋設土や配管用管材ｍ内を流れる流体の重みが管材支持部ａ２と配管用管枕本体ａ１の下面との間のリブａ３に集中的に作用し、これによってリブ３ａが挫屈するおそれがあった。
【０００４】
本発明は、かかる点に鑑みてなされたものであり、その目的とするところは、埋設土や配管用管材内の流体の重みが管材支持部と配管用管枕本体の下面との間のリブに集中的に作用してもリブの挫屈を防止することができる配管用管枕を提供することにある。
【課題を解決するための手段】
【０００５】
上記目的を達成するため、本発明が講じた解決手段は、配管用管枕として、矩形枠状に形成された配管用管枕本体の上面または下面に、配管用管材の略半周部分を支持する略半円弧状の管材支持部を凹設し、上記配管用管枕本体の上面および下面の間に、この上下両面間において配管用管材の敷設方向と直交する方向に三角形を交互に正逆転させて連続させるように連結する複数の補強リブを設けている。
【０００６】
この特定事項により、配管用管枕本体の上下両面間において配管用管材の敷設方向と直交する方向に三角形を交互に正逆転させて連続させるように、管材支持部とこれに対向する配管用管枕本体の対向面（上面または下面）との間を連結する複数の補強リブが設けられているので、管材支持部とこれに対向する配管用管枕本体の対向面との間の補強リブの強度が効果的に確保されることになり、合成樹脂製の配管用管枕を配管用管材と共に地中に埋設した際に埋設土や配管用管材内を流れる流体の重みが管材支持部とこれに対向する配管用管枕本体の対向面との間の補強リブに集中的に作用しても、トラス構造が形成されることにより、補強リブが挫屈することがなく、配管用管材を確実に支持して配管用管枕の機能を円滑に発揮させることが可能となる。
【０００７】
また、複数の補強リブを配管用管枕本体の上面および下面の間で交互に正逆転する三角形を互いに重ね合わせるようにそれぞれ交差させている場合には、配管用管枕本体の上下両面間において複数の補強リブの上下高さが半減され、管材支持部と配管用管枕本体の対向面との間の補強リブの強度がより効果的に確保されることになり、配管用管材と共に地中に埋設した際の埋設土や配管用管材内の流体の重みの集中的な作用による補強リブの挫
屈が確実に防止され、配管用管枕の機能を十分に発揮させることが可能となる。
【０００８】
更に、配管用管枕本体の上面および下面の間のうちの少なくとも管材支持部とこれに対向する配管用管枕本体の対向面との間に位置する補強リブを、配管用管材の敷設方向と直交する方向に略正三角形を交互に正逆転させて連続させるように連結している場合には、管材支持部と配管用管枕本体の対向面との間に位置する補強リブが最も剛性の高い略正三角形を呈することによって補強リブの強度がより一層効果的に確保されることになり、配管用管材と共に地中に埋設した際の埋設土や配管用管材内の流体の重みの集中的な作用による補強リブの挫屈がより確実に防止され、配管用管枕の機能をより一層発揮させることが可能となる。
【発明の効果】
【０００９】
以上、要するに、配管用管枕本体の上下両面間において配管用管材の敷設方向と直交する方向に三角形を交互に正逆転させて連続させるように管材支持部と配管用管枕本体の対向面との間を連結する複数の補強リブを設けることで、補強リブの強度を効果的に確保し、合成樹脂製の配管用管枕を配管用管材と共に地中に埋設した際の埋設土や配管用管材内の流体の重みの集中的な作用による補強リブの挫屈を防止でき、配管用管枕の機能を円滑に発揮させることができる。
【００１０】
また、複数の補強リブを配管用管枕本体の上下両面間で交互に正逆転する三角形を互いに重ね合わせるようにそれぞれ交差させることで、複数の補強リブの上下高さを半減させて補強リブの強度をより効果的に確保し、配管用管材と共に地中に埋設した際の埋設土や配管用管材内の流体の重みの集中的な作用による補強リブの挫屈を確実に防止でき、配管用管枕の機能を十分に発揮させることができる。
【００１１】
更に、管材支持部と配管用管枕本体の対向面との間において配管用管材の敷設方向と直交する方向に略正三角形を交互に正逆転させて連続させるように補強リブを連結することで、管材支持部と配管用管枕本体の対向面との間において最も剛性の高い正三角形状を呈する補強リブの強度をより一層効果的に確保し、配管用管材と共に地中に埋設した際の埋設土や配管用管材内の流体の重みの集中的な作用による補強リブの挫屈をより確実に防止でき、配管用管枕の機能をより一層発揮させることができる。
【発明を実施するための最良の形態】
【００１２】
以下、本発明を実施するための最良の形態を図面を参照して説明する。
【実施例１】
【００１３】
図１は本発明の実施例に係わる配管用管枕を配管用管材の軸線方向から見た正面図であって、この配管用管枕１は、配管用管材Ｍを支持するものである。配管用管枕１は、矩形枠状に形成された配管用管枕本体１１の一方の長辺（図１では上面）に断面略半円弧状の管材支持部１２が凹設されている。この管材支持部１２には、配管用管材Ｍの略半周部分が支持される。
【００１４】
上記配管用管枕１は、ポリエチレン、ポリプロピレン、ポリスチレン、ポリエチレンテレフタレート（ＰＥＴ）等の熱可塑性樹脂よりなり、ペレットの状の熱可塑性樹脂を溶融し、射出成形により製造されている。また、ＳＭＣやＢＭＣに代表される熱硬化性樹脂をプレス成形によって製造することもできる。
【００１５】
また、上記配管用管枕１は、配管用管枕本体１１の他方の長辺（図では下面）に左右一対の接続用雌部１３および接続用雄部１４を備えているとともに、配管用管枕本体１１の一方の短辺（図では左側面）に接続用雄部１４と、配管用管枕本体１１の他方の短辺（図
では右側面）に接続用雌部１３とを備えている。そして、上記配管用管枕１は、配管用管材Ｍを支持する際に配管用管材Ｍの軸線方向に所定間隔隔てた位置で上下１組で用いられ、配管用管材Ｍの外周部を１組の管材支持部１２によって包み込むように包持している。また、１組の配管用管枕１，１は、相隣なる１組の配管用管枕１，１に対し接続用雌部１３と接続用雄部１４との互いの接続によって連結され、図２および図３に示すように、縦方向（図２では上下方向）に３つ積み重ねると共に横方向（図３では上下方向）に３つ並べて９つ組み合わせることによって配管用管材Ｍ，…を立体的に配置させるようにしている。この場合、接続用雌部１３と接続用雄部１４とは、配管用管材Ｍの軸線方向からのスライド移動により接続されるようになっている。
【００１６】
そして、上記配管用管枕本体１１の上下の長辺間には、この上下長辺間において配管用管材Ｍの敷設方向（図１では紙面手前奥方向）と直交する方向（図１では左右方向）に三角形を交互に正逆転させて連続させるように連結する複数の補強リブ１５，…が設けられている。また、上記各補強リブ１５は、配管用管枕本体１１の上下の長辺間において配管用管材Ｍの敷設方向と直交する方向に交互に正逆転する三角形を互いに重ね合わせるように上下方向略中間位置でそれぞれ交差している。この場合、配管用管枕本体１１の上下の長辺間のうちの管材支持部１２とこれに対向する配管用管枕本体１１の対向面（図１では下面）との間に位置する補強リブ１５，…は、配管用管材Ｍの敷設方向と直交する方向に交互に正逆転する略正三角形を連続させるように配管用管枕本体１１の対向面に対しそれぞれ左右方向に略６０゜および略１２０゜ずつ傾斜させて連結されている。
【００１７】
したがって、上記実施例では、配管用管枕本体１１の上下の長辺間において配管用管材Ｍの敷設方向と直交する方向（図１では左右方向）に三角形を交互に正逆転させて連続させるように、管材支持部１２とこれに対向する配管用管枕本体の対向面（下面）との間を連結する複数の補強リブ１５，…が設けられ、この複数の補強リブ１５，…が配管用管枕本体１１の上下の長辺間において配管用管材Ｍの敷設方向と直交する方向に交互に正逆転する三角形を互いに重ね合わせるように上下方向略中間位置でそれぞれ交差している上、管材支持部１２とこれに対向する配管用管枕本体１１の対向面（図１では下面）との間に位置する補強リブ１５，…が、配管用管材Ｍの敷設方向と直交する方向に略正三角形を交互に正逆転させて連続させるように配管用管枕本体１１の対向面に対しそれぞれ左右方向に略６０゜および略１２０゜ずつ傾斜して連結されているので、管材支持部１２と配管用管枕本体１１の対向面との間に位置する補強リブ１５，…が最も剛性の高い略正三角形を呈する上、上下高さも半減されることによって、補強リブ１５，…の強度がより効果的に確保されることになり、合成樹脂製の配管用管枕１を配管用管材Ｍと共に地中に埋設した際に埋設土や配管用管材Ｍ内を流れる流体の重みが管材支持部１２とこれに対向する配管用管枕本体１１の対向面との間の補強リブ１５，…に集中的に作用しても、トラス構造が形成されることにより、補強リブ１５，…が挫屈することがなく、配管用管材Ｍを確実に支持して配管用管枕１の機能を十分に発揮させることができる。
【実施例２】
【００１８】
次に、本発明の実施例２を図４に基づいて説明する。
【００１９】
この実施例では、補強リブに加えて連結リブを設けている。なお、連結リブを除くその他の構成は、上記実施例１の場合と同じであり、同一のものについては同じ符号を付し、その詳細な説明を省略する。
【００２０】
すなわち、本実施例では、図４に示すように、配管用管枕本体１１の上下の長辺間には、その両長辺間において交差する補強リブ１５，１５同士の交差部を連結するように左右方向に延びるとともに、管材支持部１２の左右両側方において交差する補強リブ１５，１５同士の交差部を連結するように上下方向に延びる連結リブ２１，…が設けられている。
この場合、各連結リブ２１は、配管用管枕本体１１の両長辺間において交差する補強リブ１５，…によって区画された略菱形状の空間を補強リブ１５，１５同士の交差部への連結によって三角形状に仕切り、この三角形を配管用管枕本体１１の両長辺間において配管用管材Ｍの敷設方向と直交する方向に連続させるとともに、管材支持部１２の左右両側方において三角形を上下方向に連続させるようにしている。
【００２１】
したがって、上記実施例では、配管用管枕本体１１の上下の両長辺間において交差する補強リブ１５，１５同士の交差部を連結する連結リブ２１，…が左右方向に延びて設けられているとともに、管材支持部１２の左右両側方において交差する補強リブ１５，１５同士の交差部を連結する連結リブ２１，…が上下方向に延びて設けられているので、配管用管枕本体１１の上下の両長辺間において交差する補強リブ１５，…により区画された略菱形状の空間が三角形状に仕切られ、この三角形を配管用管枕本体１１の両長辺間において配管用管材Ｍの敷設方向と直交する方向に連続させるとともに、管材支持部１２の左右両側方において三角形を上下方向に連続させることによって、補強リブ１５，…の強度がより一層効果的に確保されることになり、配管用管材Ｍと共に地中に埋設した際の埋設土や配管用管材Ｍ内の流体の重みの集中的な作用による補強リブ１５，…の挫屈がより確実に防止され、配管用管枕１の機能をより一層発揮させることができる。
【００２２】
なお、本発明は、上記各実施例に限定されるものではなく、その他種々の変形例を包含している。例えば、上記実施例では、配管用管枕本体１１の上下の長辺間において配管用管材Ｍの敷設方向と直交する方向に交互に正逆転する三角形を互いに重ね合わせるように上下方向略中間位置で各補強リブ１５をそれぞれ交差させたが、補強リブを互いに重ね合わせて交差させることなく、配管用管枕本体の上下の長辺間において配管用管材の敷設方向と直交する方向に三角形を交互に正逆転させて連続させるように補強リブが設けられていてもよい。
【００２３】
また、上記各実施例では、配管用管材Ｍを縦方向に３つ積み重ねると共に横方向に３つ並べて９つ組み合わせることによって立体的に配置させたが、配管用管枕によって配管用管材がどのように配置されていても良いのはもちろんである。
【図面の簡単な説明】
【００２４】
【図１】本発明の実施例１に係わる配管用管枕を配管用管材の軸線方向から見た正面図である。
【図２】同配管用管枕を用いて配管用管材を立体的に配置した状態で側方から見た側面図である。
【図３】同配管用管枕を用いて配管用管材を立体的に配置した状態で上方から見た平面図である。
【図４】本発明の実施例２に係わる配管用管枕を配管用管材の軸線方向から見た正面図である。
【図５】従来例に係わる配管用管枕を配管用管材の軸線方向から見た正面図である。
【符号の説明】
【００２５】
１    配管用管枕
１１  配管用管枕本体
１２  管材支持部
１５  補強リブ
Ｍ    配管用管材
【図１】
2005163875.tif 000003
【図２】
2005163875.tif 000004
【図３】
2005163875.tif 000005
【図４】
2005163875.tif 000006
【図５】
2005163875.tif 000007